(57)【要約】【課題】記録スループットを落とすことなく記録ヘッドへのデータ転送未完了やインク吐出不良などを防止し且つ印字のドット位置ずれを低減させ記録画質の劣化を低減させる画像記録装置及びその画像記録方法を提供する。【解決手段】制御部１６は印刷モードに応じたヘッド駆動最短周期を設定し（Ｓ１）、エンコーダ信号周期を計時し（Ｓ２）、計時エンコーダ信号周期が予め設定されているヘッド駆動最短周期より短いか判断し（Ｓ３）、短いとき（Ｙｅｓ）は記録同期信号をヘッド駆動最短周期に切り替える（Ｓ４）、長いとき（Ｎｏ）は重色ドットの位置補正をして下流記録ユニットによる記録ドットを上流記録ユニットによるドット位置ずれに合わせ込み（Ｓ５）、ヘッド記録同期信号と計時エンコーダ信号のずれによる等間隔基準位置からのずれ量を算出して記憶し（Ｓ６）、補正記録同期信号に同期した画像記録を行う（Ｓ７）。【選択図】    図９
2010131863.tif 000002
【特許請求の範囲】
【請求項１】
搬送経路の上流側より受け渡された記録媒体を搬送する際に当該記録媒体の搬送情報を生成する搬送機構と、複数のノズルによって前記記録媒体の搬送方向に対し直交する方向に形成されたノズル列が少なくとも１つ配設されて成る記録ユニットを搬送方向に一定距離隔てて複数個配置し、それぞれの記録ユニットの複数のノズルを駆動してインクを吐出させ、前記記録媒体上に記録処理を行う画像記録装置において、
前記記録媒体の前記搬送情報であるエンコーダ信号周期を計測するエンコーダ信号周期計測手段と、
該エンコーダ信号周期計測手段により計測された前記エンコーダ信号周期が予め設定されている設定周期よりも短いときは、前記ノズルの駆動周期を前記設定周期に置き換える第１のノズル駆動周期置換手段と、
前記エンコーダ信号周期計測手段により計測された前記エンコーダ信号周期が予め設定されている前記設定周期よりも短いときから長いときに変化したときは、前記ノズル駆動周期を所定期間だけ、前記設定周期と計測された前記エンコーダ信号周期との間の最適周期に置き換える第２のノズル駆動周期置換手段と、
前記記録媒体の搬送方向上流側の前記記録ユニットによる前記ノズル列により記録された画像位置に応じて、前記搬送方向下流側の前記記録ユニットによる前記ノズル列の吐出駆動のタイミングを制御する第３のノズル駆動周期置換手段と、
を少なくとも備えることを特徴とする画像記録装置。
【請求項２】
前記設定周期は、前記記録ヘッドへ前記記録処理用のデータ転送が終了できない又は前記記録ヘッドの前記のノズル列がインク吐出不良となる不具合を起こさない限界値を示すヘッド駆動最短周期である、ことを特徴とする請求項１記載の画像記録装置。
【請求項３】
前記最適周期は、計測された前記エンコーダ信号周期が前記設定周期よりも短いときに該設定周期に置き換えられた前記ノズル駆動周期による記録ドットの遅れ分を修復するに適したノズル駆動周期である、ことを特徴とする請求項１記載の画像記録装置。
【請求項４】
前記第３のノズル駆動周期置換手段は、
前記記録ユニットによる前記ノズル列により記録された前記画像位置の前記ノズル駆動周期を記憶する記憶手段と、
前記画像位置が前記搬送方向下流側の前記記録ユニットによる前記ノズル列の吐出位置に来たタイミングで前記記憶手段により記憶された前記ノズル駆動周期により前記搬送方向下流側の前記記録ユニットによる前記ノズル列の吐出駆動を制御するノズル列制御手段と、
を備えることを特徴とする請求項１記載の画像記録装置。
【請求項５】
搬送経路の上流側より受け渡された記録媒体を搬送する際に当該記録媒体の搬送情報を生成する搬送機構と、複数のノズルによって前記記録媒体の搬送方向に対し直交する方向に形成されたノズル列が少なくとも１つ配設されて成る記録ユニットを搬送方向に一定距離隔てて複数個配置し、それぞれの記録ユニットの複数のノズルを駆動してインクを吐出させ、記録媒体上に記録処理を行う画像記録方法において、
記録媒体の搬送情報であるエンコーダ信号周期を計測するエンコーダ信号周期計測工程と、
該エンコーダ信号周期計測工程により計測された前記エンコーダ信号周期が予め設定されている設定周期よりも短いときは、前記ノズル駆動周期を前記設定周期に置き換える第１のノズル駆動周期置換工程と、
前記エンコーダ信号周期計測工程により計測された前記エンコーダ信号周期が予め設定されている前記設定周期よりも短いときから長いときに変化したときは、前記ノズル駆動
周期を所定期間だけ、前記設定周期と計測された前記エンコーダ信号周期との間の最適周期に置き換える第２のノズル駆動周期置換工程と、
前記記録媒体の搬送方向上流側の前記記録ユニットによる前記ノズル列により記録された画像位置に応じて、前記搬送方向下流側の前記記録ユニットによる前記ノズル列の吐出駆動のタイミングを制御する第３のノズル駆動周期置換工程と、
を少なくとも含むことを特徴とする画像記録方法。
【請求項６】
前記設定周期は、前記記録ヘッドへ前記記録処理用のデータ転送が終了できない又は前記記録ヘッドの前記のノズル列がインク吐出不良となる不具合を起こさない限界値を示すヘッド駆動最短周期である、ことを特徴とする請求項５記載の画像記録方法。
【請求項７】
前記最適周期は、計測された前記エンコーダ信号周期が前記設定周期よりも短いときに該設定周期に置き換えられた前記ノズル駆動周期による記録ドットの遅れ分を修復するに適したノズル駆動周期である、ことを特徴とする請求項５記載の画像記録方法。
【請求項８】
前記第３のノズル駆動周期置換工程は、
前記記録媒体の搬送方向上流側の前記記録ユニットによる前記ノズル列により記録された前記画像位置の前記ノズル駆動周期を記憶する記憶工程と、
前記画像位置が前記搬送方向下流側の前記記録ユニットによる前記ノズル列の吐出位置に来たタイミングで前記記憶工程により記憶された前記ノズル駆動周期により前記搬送方向下流側の前記記録ユニットによる前記ノズル列の吐出駆動を制御するノズル列制御工程と、
を含むことを特徴とする請求項５記載の画像記録方法。
【発明の詳細な説明】
【技術分野】
【０００１】
本発明は、記録媒体に対しインクを吐出して記録処理を行う画像記録装置において、記録媒体の搬送に応じたエンコーダ出力に基づいて複数のラインヘッドからインクを吐出させ、それぞれの画像を正しく重ね合わせて記録を行う画像記録装置及びその画像記録方法に関する。
【背景技術】
【０００２】
従来、紙等の記録媒体に対して画像データ（文字も含む）を記録する画像記録装置として、例えばインクジェット方式のフルライン型画像記録装置が知られている。このフルライン型画像記録装置は、記録媒体が搬送される搬送方向（副走査方向）に対して直交する方向（主走査方向）に記録媒体の幅以上の長さに亘って形成されたラインヘッドを備えている。
【０００３】
ラインヘッドは、インクの液滴を吐出する複数のノズルからなる長尺のノズル列を備えており、吐出するインクの色毎に配設されている。これらインク色毎のラインヘッドは、副走査方向に所定の間隔に離間し、且つ記録媒体に対しノズルのインク吐出面が対向するように配設されている。
【０００４】
このような画像記録装置では、記録媒体とノズル列を有するラインヘッドとを、ノズルの配列方向と略直交する方向に相対的に移動させるだけで、記録媒体の全面に記録処理を行うことができる。
【０００５】
従って、このような画像記録装置では、シリアル型の画像記録装置のように短尺な記録ヘッドを保持するキャリッジの移動や記録媒体の間欠的な搬送等を行わない簡易な動作で、迅速に記録処理を行うことができる。
【０００６】
しかし、その一方、ラインヘッドには、短尺な記録ヘッドに比べ、コストが高い、歩留りが悪い、信頼性が低い等の問題がある。これらの問題を解消する画像記録装置としては、短尺ノズル列をノズル列の延長方向に千鳥状に複数配列して全体として長尺な吐出ノズルが形成されているラインヘッドを備えているものがある。
【０００７】
このようなラインヘッドは、コスト、歩留り、信頼性の諸点で優れた短尺ノズル列の利点を生かしつつ、ラインヘッドの利点をも併せ持っている。これらの画像記録装置では、記録精度向上のために、副走査方向への相対的な移動に応じて出力されるエンコーダ信号に基づいて画像記録するものが知られている。
【０００８】
更に、相対的な走査に速度ムラがあったり、エンコーダを構成するスケールやセンサに汚れが生じたりして、エンコーダ出力信号のパルス周期が変動した場合でも、画像記録処理を停止させないような機能を備えた画像記録装置が提案されている。
【０００９】
例えば特許文献１には、短尺の記録ヘッドを搭載したキャリッジの主走査方向への移動に応じて出力されるエンコーダ信号に基づいて記録ヘッドに対する印字データの転送を行なう場合に、記録ヘッドに対する印字データ転送を所定の転送周期内に完了しなかったとき、再印字を行なうために、転送を完了しなかった印字データの印字位置に関する情報を保持する手段を備えた画像記録装置が開示されている。
【００１０】
この特許文献１では、その画像記録装置によれば、記録ヘッドに対する印字データ転送
を、所定の転送周期内に完了しなかったとき、再印字を行なうために、転送を完了しなかった印字データの印字位置に関する情報を保持する手段を備えているので、データ転送が完了しなかった場合に、次の走査で再印字を行なうことができるようになるとしている。
【００１１】
また、例えば特許文献２には、所定の間隔でスリットが配置されたエンコーダと、このスリットを検知するエンコーダセンサと、このエンコーダセンサから出力されるパルスに応じて画像を記録する動作を制御する制御手段とを備えた画像記録装置において、エンコーダセンサの出力パルスの周期を測定する測定手段と、測定されたパルス周期が所定の範囲に入らない場合に、制御手段の動作タイミングを補正する補正手段を備えた画像記録装置が開示されている。
【００１２】
この特許文献２では、エンコーダパルスの周期が所定値より短い場合に動作タイミングまたは吐出トリガ信号の出力タイミングを遅延させているため、エンコーダスケールの汚れによってエンコーダパルスの周期が変動した場合でも吐出等の動作タイミングに影響が出にくく、印字を高画質に保持することができるとされている。
【特許文献１】特開２００６−３２７０９９号公報
【特許文献２】特開２００８−６８６０３号公報
【発明の開示】
【発明が解決しようとする課題】
【００１３】
ところで、上述したようなラインヘッドを備えた画像記録装置では、記録媒体を１０００ｍｍ／ｓにも及ぶ高速で搬送し記録することがある。このとき、中でもカット紙の搬送では、負荷変動が大きいため、記録媒体の搬送に速度ムラが生じ易い。
【００１４】
特に搬送速度が高速側に変動した場合、ヘッド駆動の基準となるエンコーダ信号の周期が短くなる。その場合、所定の時間内に記録ヘッドに対するデータ転送が終了できなかったり、ノズルのインク吐出不良を引き起こすことになる。
【００１５】
ところが、特許文献１に開示されている技術では、主走査方向に繰り返し走査を行うキャリッジ走査型の画像記録装置では効果があるものの、副走査方向に記録媒体の搬送が連続して行われるラインヘッドを備えた画像記録装置には適応できない。
【００１６】
また、特許文献２に開示されている技術では、ヘッド駆動周期を一定以下にならないように制御できるものの、入力エンコーダが短周期であることの要因が走査速度の高速側への変動であった場合には、そのエンコーダ信号の補正による記録画質の劣化については、開示も示唆も一切記載されていない。
【００１７】
走査速度が速い場合に、入力されるエンコーダ信号周期よりも長い駆動周期に置き換えて記録を行えば、記録画像は記録媒体の搬送方向後方（以下、搬送後方という）にずれて記録されてしまう。特に搬送方向に複数色のラインヘッドを配置する画像記録装置においては、記録媒体に対して色毎に異なる位置で搬送後方にずれて記録されるため、重ね印字の色毎のドット位置ずれが生じ顕著な色むらを引き起こしてしまう。
【００１８】
ここで、記録媒体の平均搬送速度を速度変動（速度ムラ）に対して十分に遅くすれば、高速側への変動はなくなり、記録ヘッドへのデータ転送が終了できなかったり、ヘッドの吐出不良を引き起こすなどの問題を回避できるが、速度変動（速度ムラ）に対して十分に遅くする範囲を大きくとりすぎれば、記録処理のスループットの低下を招くという新たな問題が生じてしまう。
【００１９】
本発明は、上記の課題を解決するために、最大限に記録スループットを高めて記録しながらも、記録ヘッドに対するデータ転送の未完了やインクの吐出不良などを防止し、かつ、その制御によって発生する重ね印字の色毎のドット位置ずれを低減させて記録画質の劣化を低減させることが可能な画像記録装置及びその画像記録方法を提供することを目的とする。
【課題を解決するための手段】
【００２０】
上記の中の一つの課題を解決するために、本発明の画像記録装置は、搬送経路の上流側より受け渡された記録媒体を搬送する際に当該記録媒体の搬送情報を生成する搬送機構と、複数のノズルによって記録媒体の搬送方向に対し直交する方向に形成されたノズル列が少なくとも１つ配設されて成る記録ユニットを搬送方向に一定距離隔てて複数個配置し、それぞれの記録ユニットの複数のノズルを駆動してインクを吐出させ、記録媒体上に記録処理を行う画像記録装置において、記録媒体の搬送情報であるエンコーダ信号周期を計測するエンコーダ信号周期計測手段と、該エンコーダ信号周期計測手段により計測されたエンコーダ信号周期が予め設定されている設定周期よりも短いときは、ノズル駆動周期を設定周期に置き換える第１のノズル駆動周期置換手段と、エンコーダ信号周期計測手段により計測されたエンコーダ信号周期が予め設定されている設定周期よりも短いときから長いときに変化したときは、ノズル駆動周期を所定期間だけ、設定周期と計測されたエンコーダ信号周期との間の最適周期に置き換える第２のノズル駆動周期置換手段と、記録媒体の搬送方向上流側の記録ユニットによるノズル列により記録された画像位置に応じて、搬送方向下流側の記録ユニットによるノズル列の吐出駆動のタイミングを制御する第３のノズル駆動周期置換手段と、を少なくとも備えることを特徴とする。
【００２１】
また、上記の中の一つの課題を解決するために、本発明の画像記録方法は、搬送経路の上流側より受け渡された記録媒体を搬送する際に当該記録媒体の搬送情報を生成する搬送機構と、複数のノズルによって記録媒体の搬送方向に対し直交する方向に形成されたノズル列が少なくとも１つ配設されて成る記録ユニットを搬送方向に一定距離隔てて複数個配置し、それぞれの記録ユニットの複数のノズルを駆動してインクを吐出させ、記録媒体上に記録処理を行う画像記録方法において、記録媒体の搬送情報であるエンコーダ信号周期を計測するエンコーダ信号周期計測工程と、該エンコーダ信号周期計測工程により計測されたエンコーダ信号周期が予め設定されている設定周期よりも短いときは、ノズル駆動周期を設定周期に置き換える第１のノズル駆動周期置換工程と、エンコーダ信号周期計測工程により計測されたエンコーダ信号周期が予め設定されている設定周期よりも短いときから長いときに変化したときは、ノズル駆動周期を所定期間だけ、設定周期と計測されたエンコーダ信号周期との間の最適周期に置き換える第２のノズル駆動周期置換工程と、記録媒体の搬送方向上流側の記録ユニットによるノズル列により記録された画像位置に応じて、搬送方向下流側の記録ユニットによるノズル列の吐出駆動のタイミングを制御する第３のノズル駆動周期置換工程と、を少なくとも含むことを特徴とする。
【発明の効果】
【００２２】
本発明によれば、記録媒体と記録ヘッド間の相対走査速度が変動する画像記録において記録ヘッドへのデータ転送未完了やインク吐出不良を防止し、かつ、その制御によって発生する重ね印字の色毎のドット位置ずれを低減させて記録画質の劣化を低減させることが可能な画像記録装置及びその画像記録方法を提供できる。
【発明を実施するための最良の形態】
【００２３】
以下、図面を参照して本発明の実施形態について詳細に説明する。なお、以下の説明においては、記録媒体の搬送方向をＹ方向又は副走査方向と称し、この搬送方向に対し直交する方向をＸ方向又は主走査方向と称し、Ｘ方向及びＹ方向のどちらにも直交する方向を
Ｚ方向と称することとする。
（第１の実施の形態）
図１は本実施形態おける画像記録装置の構成を概念的なブロック構成で示す図である。
【００２４】
図２は本実施形態における画像記録装置の各構成要素の配置を示す図である。図１及び図２に示すように、本実施形態における画像記録装置１は、給送部２と、記録媒体検出部５と、搬送機構６と、回収部９と、画像記録部１２と、制御部１６と、を備えている。
【００２５】
上記の構成において、給送部２は、給送トレイ３と、給送駆動部４とを備えている。給送トレイ３は、例えば給紙カセット等で構成され、記録媒体２１を収容している。給送駆動部４は、例えば給送ローラで構成され、給送トレイ３に収容されている記録媒体２１の最上部の面に当接している。
【００２６】
給送部２は、印刷タイミングに同期して、給送駆動部４により、給送トレイ３に収容されている記録媒体２１を一枚毎に取り出して搬送機構６へ給送する。
記録媒体検出部５は、例えば光学式の透過型センサ、又は反射型センサ、又は静電容量型センサ等のいずれかを備えて構成されている。記録媒体検出部５は、記録媒体２１の搬送経路において搬送機構６よりも上流の給送経路上に設けられ、給送中の記録媒体２１の副走査方向における例えば先端と後端を検出する。記録媒体検出部５は、記録媒体２１の先端及び後端を検出すると、その検出を示す検出情報を制御部１６へ通知する。
【００２７】
尚、記録媒体検出部５は、例えばＣＩＳ（Contact Image Sensor：密着型撮像素子）などのラインセンサを備えて構成することも可能である。この場合には、記録媒体検出部５は、記録媒体２１の先端及び後端並びに両側端位置を検出することができ、この検出を示す検出情報を制御部１６へ通知する。
【００２８】
搬送機構６は、副走査方向に離間した駆動ローラ２２及び従動ローラ２３と、駆動ローラ２２の回転軸に接続された搬送駆動部７と、従動ローラ２３の回転軸に接続された搬送情報生成部８と、駆動ローラ２２と従動ローラ２３間に掛け渡された無端の搬送ベルト２４と、図示しない少なくともひとつの吸引フアンとを備えている。
【００２９】
吸引フアンは、制御部１６による制御の下で負圧を発生させて搬送ベルト２４上に記録媒体２１を吸着させる。搬送機構６は、給送部２から給送される記録媒体２１を搬送ベルト２４の搬送面に吸着させながら下流側へ搬送する。
【００３０】
搬送ベルト２４は、記録媒体２１の搬送面を、図２に示す少なくとも１つ以上の記録ユニット１３−１〜１３−ｎ（但しｎは２以上の整数）のインク吐出口に対向させつつ一定の速度で搬送する。
【００３１】
搬送ベルト２４は、一方では搬送駆動部７により駆動される駆動ローラ２２によって回転駆動され、他方では従動ローラ２３を回転駆動する。
従動ローラ２３の回転軸に接続された搬送情報生成部８は、例えばロータリエンコーダを備えて構成されており、記録媒体２１の搬送情報としてのパルス信号を、搬送ベルト２４が所定量回転移動する毎に生成して、そのパルス信号を制御部１６へ出力する。従って、このパルス信号は記録媒体２１の搬送距離を示している。
【００３２】
回収部９は、例えば収納トレイ１０と排出駆動部１１とを備えている。排出駆動部１１は、例えば排出ローラ対で構成され、搬送機構６が搬送してくる画像記録済みの記録媒体２１を収納トレイ１０へ排出する。収納トレイ１０は、排出された記録媒体２１を収納する。
【００３３】
画像記録部１２は、少なくとも１つ以上の記録ユニット１３−１〜１３−ｎを備えている。記録ユニット１３−１〜１３−ｎは、ノズル列１５−１−１〜１５−ｎ−ｍ（但しｎ，ｍは２以上の整数）と、ノズル列駆動部１４−１〜１４−ｎとを備えており、支持部材２５によって支持されている。
【００３４】
ノズル列１５−１−１〜１５−ｎ−ｍには、インクを吐出する複数のノズルが直線状に形成されている。ノズル列１５−１−１〜１５−ｎ−ｍは、画像記録装置１の設計に基づく最大幅の記録媒体２１を越える長さに亘って主走査方向に配設されている。
【００３５】
ノズル列駆動部１４−１〜１４−ｎは、制御部１６から記録データ情報に基づいて送られてくる制御信号に従って、各ノズルを駆動する駆動信号をノズル列１５−１−１〜１５−ｎ−ｍへ出力する。
【００３６】
ノズル列１５−１−１〜１５−ｎ−ｍは、ノズル列駆動部１４−１〜１４−ｎによる駆動信号に従って、駆動信号により選択された複数のノズルからインク滴をそれぞれ吐出して、搬送ベルト２４により一定速度で搬送されてくる記録媒体２１へ、ノズル駆動信号に基づく画像を記録する。
【００３７】
ここで、画像記録部１２について更に説明する。記録ユニット１３−１〜１３−ｎは、複数のノズル列１５−１−１〜１５−ｎ−ｍを例えば図２に示すように配置して構成されている。なお、図２では、例えばＫ（ブラック）、Ｃ（シアン）、Ｍ（マゼンタ）、及びＹ（イエロ−）の４色のインクに対応するものとして、記録ユニット１３−１〜１３−４を配設した場合を示している。
【００３８】
尚、上記のｎはインク色の総数を表しており、図２の場合ｎの最大は４である。また、ｍはインク色に拘りなく設定したノズル列の総数を表しており、図２の場合では１色あたり１個のノズル列を配置しているので、ｍの最大は４である。
【００３９】
各色の記録ユニット１３−１〜１３−４は、副走査方向に沿ってそれぞれ離間して配設されており、搬送経路の前後に配設された位置に対応したタイミングでノズル列１５−１−１〜１５−４−４を各々駆動させることで、記録媒体２１への記録処理を行うように構成されている。
【００４０】
記録媒体２１が記録媒体検出部５で検出されてから、ノズル列１５−１−１〜１５−４−４の各々まで移動する距離は、搬送情報生成部８により搬送情報として生成される。この搬送情報は、搬送情報生成部８における例えばロータリエンコーダによって生成される記録媒体２１の搬送距離に応じたパルス信号数である。
【００４１】
このパルス信号数を例えば、３００ｄｐｉ（≒８５μｍ）などの間隔で発生するように設定することで、記録媒体２１に記録するドットの配置間隔を決定することができる。
ノズル列駆動部１４−１〜１４−ｎは、上位装置１９からの記録情報に基づきノズルを選択し、選択したノズルを、制御部１６のノズル列制御部１８が生成するインク吐出タイミング制御信号により決定されるタイミングで駆動してインク吐出を行わせる。
【００４２】
制御部１６は、制御機能及び演算機能を有する演算処理装置における例えばＭＰＵ(Microprocessor Unit) を含む図示しない処理回路と、記憶部１７と、ノズル列制御部１８とを少なくとも有している。
【００４３】
記憶部１７は、制御プログラムを記憶するＲＯＭ(read only memory)と、ＭＰＵのワー
クメモリとなるＲＡＭ(Random Access Memory)と、記録データを含む記録処理の指定情報を記憶しておく不揮発性メモリとを有して構成されている。ＲＡＭには、装置の制御に関する設定値等と画像記録情報とが一時的に記憶される。
【００４４】
ノズル列制御部１８は、記憶部１７から読み出した設定値に基づきノズル列１５−１−１〜１５−ｎ−ｍの制御を行う。なお、このノズル列制御部１８については、後に詳細に説明する。
【００４５】
制御部１６は、ＭＰＵが記憶部１７から読み出した制御プログラムを実行することによって、画像記録装置１の各構成要素、すなわち、給送部２、搬送機構６、回収部９、画像記録部１２等をそれぞれ制御し、更に、ノズル列１５−１−１〜１５−ｎ−ｍのインク吐出タイミングを制御するノズル列制御部１８としての機能により、記録媒体２１への上述した文字や画像（以下、単に画像という）の記録処理を行う。
【００４６】
上記のような構成と機能を有する本例の画像記録装置１における一連の画像記録処理の動作を更に説明する。
先ず、上位装置１９は、本実施形態における画像記録装置１に記録処理を行わせるユーザによって操作される例えばコンピュータである。この上位装置１９は、画像記録装置１の外部機器として、例えばＬＡＮ（local area network）等を介して接続されている。
【００４７】
上位装置１９は、画像記録装置１に対し、記録処理に関する情報としてジョブ情報を通知する。このジョブ情報には、記録媒体２１に対して記録処理を行う際の画像記録情報が含まれる。
【００４８】
また、この画像記録情報には、記録画像サイズ情報、解像度、濃度、色情報、上位装置１９のメモリに保持した画像データのアドレス情報等が含まれる。また、上位装置１９は、Ｒ（レッド）、Ｇ（グリーン）、及びＢ（ブルー）の光の三原色からなる多階調画像データを、Ｋ並びにＣ、Ｍ、及びＹの色の三原色からなる画像記録装置の出力可能な階調値に変換する擬似階調変換処理などの画像データ処理を行う。
【００４９】
上位装置１９は、この画像データを画像記録装置１へ転送する。画像記録装置１の制御部１６は、上位装置１９から通知されたジョブ情報を受け取ると、記憶部１７に記憶させる。そして、制御部１６は、記録処理開始の指示を上位装置１９から受け取ると、搬送機構６の搬送駆動部７を制御して搬送ベルト２４の回転を開始させる。
【００５０】
続いて、制御部１６は、給送部２の給送駆動部４を制御して、給送トレイ３に積載された記録媒体２１を１枚ずつ取り出させて搬送機構６へ給送させる。搬送経路上を給送される記録媒体２１は、記録媒体検出部５により、例えばその先端が検出される。
【００５１】
記録媒体検出部５は、その先端を検出したことを示す先端エッジ信号を制御部１６へ出力する。制御部１６は、この先端エッジ信号を受信して、その受信した先端エッジ信号を記録処理タイミングの生成のためのトリガ信号として利用する。
【００５２】
その後、記録媒体検出部５を通過した記録媒体２１は、更に搬送経路の下流側へ搬送され、やがて搬送機構６の搬送ベルト２４上に吸着されて搬送される。
ノズル列制御部１８は、上位装置１９から受信した画像データを、ジョブ情報と、予め記憶部１７に記憶されているジョブ情報に対応した設定値とに基づいて、記録処理可能な記録データへと変換する処理を行って、その変換した記録データを画像記録部１２へ転送する。
【００５３】
ここでの画像データ変換処理は、ノズル列毎のデータ分配やデータ位置合わせ、記録濃度変換などを含んでいる。また、ノズル列制御部１８は、上位装置１９からのジョブ情報に基づきインク吐出タイミングを制御し、記録媒体２１に記録処理を行うときの副走査方向の記録位置を決定する制御を行う。
【００５４】
搬送情報生成部８で生成される搬送情報であるロータリエンコーダのパルス信号は、ノズル列制御部１８でタイミング補正を行い、この補正された信号が画像記録部１２へ出力され、ノズル列１５−１−１〜１５−ｎ−ｍにより記録処理がなされる際の同期信号（記録同期パルス信号）として用いられる。
【００５５】
制御部１６は、ノズル列１５−１−１〜１５−ｎ−ｍによるインク吐出を開始させるためのタイミングの情報として、記録媒体検出部５から例えば図２に示されるノズル列１５−１−１〜１５−４−４の距離に対応するロータリエンコーダのパルス信号数値を、記憶部１７に予め記憶している。
【００５６】
制御部１６は、記録媒体２１の先端エッジ信号発生後の、ロータリエンコーダのパルス信号数を計数する。制御部１６のノズル列制御部１８は、この計数したロータリエンコーダのパルス信号数の値と、予め記億している距離に対応する記録同期パルス信号数の値との一致を検出する。
【００５７】
そして、この一致を検出したタイミングで画像記録部１２のノズル列駆動部１４−１〜１４−ｎを制御してノズル列１５−１−１〜１５−４−４からインクを吐出させて、搬送ベルト２４上に吸着されている記録媒体２１への記録処理を行わせる。
【００５８】
このようにして記録処理された後の記録媒体２１は、搬送機構６の下流側に設けられた回収部９へ受け渡される。すると、記録媒体２１は、排出駆動部１１に挟持されて搬送経路の更に下流側に搬送され、やがて収納トレイ１０に収納される。
【００５９】
図３は、本実施形態の画像記録装置１における上述した記録媒体２１の検出と画像記録とのタイミングの関係を模式的に示す図である。図３において、記録媒体２１は、搬送機構６により状態１から状態５に亘って搬送される過程において画像を記録される。
【００６０】
給送部２から搬送されてきた記録媒体２１は、状態１において、搬送方向における先端（以下、搬送先端という）が記録媒体検出部５の検出領域へと搬送されて検出される。
その後、搬送が進み、状態２において、記録媒体２１の搬送先端がＫ色のノズル列１５−１−１に対向する位置に達すると、このタイミングでＫ色の画像記録が開始される。
【００６１】
ここで、記録媒体検出部５からノズル列１５−１−１までの距離の搬送に対応してノズル列制御部１８で生成される駆動同期パルス信号数値は、予め記憶部１７に記憶されている。
【００６２】
従って、ノズル列制御部１８は、この記録同期パルス信号数と、実際に記録媒体２１の搬送先端が記録媒体検出部５の検出領域を通過した後にノズル列制御部１８で生成されたパルス信号数とが一致したタイミングで、ノズル列１５−１−１からインクを吐出させて記録媒体２１への記録処理を行わせる。
【００６３】
その後、搬送が更に進み、状態３において、記録媒体２１の搬送方向における後端（以下、搬送後端という）が記録媒体検出部５の検出領域へと搬送されて検出される。なお、この状態において、Ｋ色、Ｃ色の画像記録は既に開始されており、吐出されたインクによって画像３２が記録媒体２１上に記録されている。
【００６４】
状態４においては、Ｃ色、Ｍ色、Ｙ色の画像記録が継続中であり、吐出されたインクによる画像３２の記録媒体２１上への記録が進んでいく。この状態４においては、ノズル列１５−１−１によるＫ色のインクでの画像３２の記録が完了し、ノズル列１５−２−２によるＣ色のインク、及びノズル列１５−３−３によるＭ色のインクによる画像は記録継続中である。
【００６５】
また、状態４においては、搬送先端がノズル列１５−４−４との対向部に到達しており、先行する３色の画像３２の上に重ねて、ノズル列１５−４−４によるＹ色のインクの記録が開始されている。
【００６６】
その後、搬送が更に進み、状態５において、記録媒体２１の搬送後端がＹ色のノズル列１５−４−４に到達し、Ｙの画像記録が完了する。この状態５においては、Ｋ色、Ｃ色、Ｍ色の画像記録は既に完了しており、ここまでで、全４色の画像３２の記録媒体２１上への記録が終了する。
【００６７】
図４(a),(b) は、本例のノズル列制御部１８における記録同期パルス信号のヘッド駆動周波数上限補正について説明する図である。図４(a) における正弦波状の曲線２６は、搬送情報生成部８で生成される搬送情報であるエンコーダのパルス信号の周波数の時間的な変動を示している。
【００６８】
また、破線２７で示す駆動周波数は、ヘッド駆動上限周波数を示している。このヘッド駆動上限周波数２７は、記録ユニットへのデータ転送が終了できない、又は記録ユニットがインク吐出不良となるなどの不具合を引き起こさない上限の周波数を示している。
【００６９】
ノズル列制御部１８は、エンコーダのパルス信号の周波数、すなわち記録同期パルス信号の周波数が、ヘッド駆動上限周波数２７よりも高いか否かの超過判断を行う。この超過の判断は、エンコーダパルス信号の周期計時結果と、予め不揮発性メモリに記憶したヘッド駆動最短周期との比較で行う。
【００７０】
尚、ヘッド駆動上限周波数とヘッド駆動最短周期とは、同一のものを見方を変えて述べているもので、制御装置の回路内における処理では、周波数よりも周期のほうが比較演算が容易であるので、エンコーダパルス信号の周波数を周期に変換してから、予め記憶されているヘッド駆動最短周期と比較を行うものである。
【００７１】
ヘッド駆動最短周期は、記録媒体２１と記録ユニット１３−１〜１３−ｎとの相対走査速度が異なる複数の印刷モードに応じて、予め複数記憶することができ、印刷モードに応じたヘッド駆動最短周期を選択すれば良い。
【００７２】
なお、以下の説明では、記録ユニット１３−１を記録ユニットＫ、記録ユニット１３−２を記録ユニットＣ、記録ユニット１３−３を記録ユニットＭ、及び記録ユニット１３−４を記録ユニットＹということにする。
【００７３】
また、記録ユニットＫ、Ｃ、Ｍ、Ｙのそれぞれの記録ユニットから記録媒体２１に吐出されるインク滴のドットを、それぞれ基準色Ｋのドット、２番色Ｃのドット、３番色Ｍのドット、及び４番色Ｙのドットということにする。
【００７４】
図４の説明に戻り、エンコーダパルス信号の周期計時は、回路のクロック信号を基準としたタイマによって行う。時間Ｔ０から時間Ｔ１までは、この比較によって、エンコーダパルス周波数がヘッド駆動上限周波数よりも低いため、ノズル列制御部１８は、記録同期
パルス信号として、エンコーダパルス信号をそのまま出力する。
【００７５】
時間Ｔ１から時間Ｔ２においては、上記の比較によって、斜線部２８で示すように、エンコーダパルス信号周波数がヘッド駆動上限周波数２７よりも高い。
ノズル列制御部１８は、回路のクロック信号を基準としたタイマを計時して、予め不揮発性メモリに記憶したヘッド駆動上限周波数のパルス信号を発生させ、この発生させたヘッド駆動上限周波数のパルス信号を補正記録同期信号３３として、ヘッド駆動上限周波数の信号に切換えて出力する。
【００７６】
したがって、図４(a) に示す時間Ｔ１から時間Ｔ２では、記録同期信号によるヘッド駆動周波数がエンコーダパルス信号周波数よりも低くなる。言い換えれば、ヘッド駆動周期はエンコーダパルス信号周期よりも長くなる。
【００７７】
このようにヘッド駆動周期がエンコーダパルス信号周期よりも長くなると、ヘッド駆動タイミングがエンコーダ信号に対して遅延する。従って、エンコーダ信号は記録媒体２１の搬送距離に対応して出力されているものであるから、時間Ｔ１から時間Ｔ２では、記録ドットは、例えば３００ｄｐｉの等間隔基準位置から記録媒体２１の搬送後端側にずれて配置されることになる。
【００７８】
図４(b) の時間Ｔ１から時間Ｔ２までの右上がりずれ量直線２９は、記録媒体２１上の、上記の等間隔基準位置からのドット配置のずれ量を示している。
ヘッド駆動周波数がエンコーダパルス信号周波数に対して数パーセント超過すれば、ドット配置は等間隔基準位置から数μｍずれる。この状態が複数エンコーダパルス信号に亘って継続すれば、ずれ量は蓄積するためにその複数倍のずれとなる。
【００７９】
図４(a) では、時間Ｔ２以降、エンコーダパルス信号周波数がヘッド駆動上限周波数よりも低くなっているが、時間Ｔ２以降すぐに記録同期パルス信号として、エンコーダパルス信号をそのまま出力すれば、上記時間Ｔ１から時間Ｔ２までに生じた等間隔基準位置から記録媒体２１の搬送後端側へのドット配置のずれが継続されて記録されてしまう。
【００８０】
このずれは、横線部３１で示すように、記録同期パルス信号を、斜線部２８で生じたずれに応じてエンコーダパルス信号周波数よりも高くヘッド駆動上限周波数よりも低く補正した周波数３４を補正記録同期信号として出力することで、時間Ｔ２と時間Ｔ３間で、図４(b) の右下がりずれ量直線３０で示すように、ずれ量を修復し、時間Ｔ３以降解消させることができる。
【００８１】
なお、このように、ずれ量を修復するには、斜線部２８で生じた等間隔基準位置からのずれと横線部３１でのずれの等間隔基準位置への搬送方向前方への戻し量が同等となるように制御する。具体的な一例としては、斜線部２８の面積と横線部３１の面積が同等になるように補正周波数３４を制御する。なお、図４(a),(b) の時間Ｔ０〜Ｔ２の間隔は、１〜数秒の長さである。
【００８２】
図４(a) の斜線部２８が発生しないように、ヘッド駆動上限周波数に対して、エンコーダパルス信号周波数が十分に低くなるように記録媒体２１の搬送速度を遅く制御すれば、このような記録同期パルス信号のヘッド駆動周波数上限補正は不必要になる。しかし、そのように安全度の範囲を大きくとれば、記録媒体２１の搬送速度が遅くなって記録処理のスループットが低下する。
【００８３】
本例では、図４(a),(b) に補正記録同期信号３３及び補正周波数３４で示すような制御を行うことによって、最大限に記録処理のスループットを高めて記録しながらも、記録ユニットへのデータ転送未完了や、インク吐出不良などの不具合の発生を防止することがで
きる。
【００８４】
次に、本実施形態に係る画像記録装置１の複数色の記録ユニットで複数色のドットを重ねて配置させて記録を行う場合の重ね印字ドット（以下、重色ドットという）の配置補正ついて説明する。
【００８５】
図５(a) 〜(f) は、画像記録装置１の各構成要素の動作において基準色のドット位置ずれに対して重色ドットの配置補正を行わないときの動作をタイミングチャートで示す図である。
【００８６】
これは、図４(a),(b) のようなドット配置の補正が行われた基準色Ｋに対して、２番色Ｃにはドット位置ずれがないものとした場合の、基準色Ｋと二番色Ｃとの重色ドットを説明するものでもある。
【００８７】
尚、図５(a),(b),(c) は、内容的には図４(a),(b) と同一であり、エンコーダのパルス信号の周波数の時間的変動を、図４(a) のように正弦波状の曲線でなく、図５(a),(b) では、分かりやすく直線で示している点が異なる。
【００８８】
図５(a) は、搬送情報生成部８で生成されるエンコーダのパルス信号の周波数を示している。時間Ｔ０〜時間Ｔ１では、エンコーダパルス信号の周波数２６−０はヘッド駆動上限周波数２７より低く、時間Ｔ１〜時間Ｔ２では、エンコーダパルス信号の周波数２６−１はヘッド駆動上限周波数２７より高く、時間Ｔ２以降では、エンコーダパルス信号の周波数２６−０はヘッド駆動上限周波数２７より低くなっている。
【００８９】
図５(b) は、重色ドットを形成する記録ユニットのうちの記録媒体２１の搬送方向前方側（以下、搬送前方という）の記録ユニットＫのヘッド駆動周波数が、図５(a) のエンコーダパルス信号周波数の時間的変動に対応して上限補正された記録同期信号を示している。
【００９０】
時間Ｔ１〜時間Ｔ２では、エンコーダパルス信号周波数２６−１がヘッド駆動上限周波数２７を超過しているため、記録ユニットＫのヘッド駆動周波数上限補正が行われ、記録同期信号（２６−１）がヘッド駆動上限周波数２７と同じ周波数（補正記録同期信号）３３に置き換えられている。
【００９１】
そして、時間Ｔ２〜時間Ｔ４では、時間Ｔ２までに発生した等間隔基準位置から記録媒体２１の搬送後方へのドット配置のずれを解消するため、つまり図４(a) の場合と同様に、斜線部２８で生じたドット配置ずれに応じて、エンコーダパルス信号周波数よりも高くヘッド駆動上限周波数よりも低く補正した周波数３４を出力する補正が行われる。
【００９２】
これで、ドット配置のずれが解消し、時間Ｔ４以降のドット配置が正常に復帰するので時間Ｔ４以降は、駆動周波数３５は、エンコーダパルス信号２６−０に同期した駆動周波数となって記録ユニットＫに出力される。
【００９３】
図５(c) は、図５(b) に示す補正記録同期信号３３と補正周波数３４によって記録ユニットＫによる印字が実行された場合の基準色Ｋの等間隔基準位置から記録媒体２１搬送後方へのドット配置のずれを示している。
【００９４】
すなわち、エンコーダパルス信号の周波数変動に対処した補正記録同期信号３３によるドット配置の位置ずれ量２９と、その位置ずれ量を修復するための補正周波数３４によるドット配置の修復方向への位置ずれ量３０を示している。この状態は、図４(b) に示した
状態と同一のものである。
【００９５】
図５(d) は、次に重色ドットを形成される記録媒体２１が、重色ドットを形成する複数の記録ユニットのうちの記録媒体２１の搬送後方で記録ユニットＫに隣接する記録ユニットＣの記録位置まで搬送されるのに相当する時間Ｔｃｋだけ、図５(c) で示された記録ユニットＫのドット配置のずれの状態を並行移動させたものを示している。
【００９６】
記録ユニットＣでは、この位置で記録ユニットＫの基準色Ｋの画像と、２番色Ｃの画像が重ね合わせられ、Ｋ色とＣ色との重色ドットの画像が形成される。
図５(d) は、換言すれば、基準色Ｋのドット配置の位置ずれ開始とその修復完了までの期間である時間Ｔ１、Ｔ２、Ｔ４の間で印字された基準色Ｋのドット配置部分が、記録媒体２１の搬送によって２番色Ｃの印字位置を移動して通過するまでの状態を示している。
【００９７】
ここで、図５(d) に示す時間Ｔ３、Ｔ５、Ｔ６の各区間の経過時間は、図５(c) に示す時間Ｔ１、Ｔ２、Ｔ４の各区間の経過時間と同一である。
図５(e) は、重色ドット配置補正がない場合の記録ユニットＣの等間隔基準位置から記録媒体２１の搬送後方へのドット配置のずれを示している。なお、ここでは、記録ユニットＣで２番色Ｃの画像を記録するときに、エンコーダパルス信号周波数２６がヘッド駆動上限周波数２７を超過せず、記録ユニットＣでは等間隔基準位置からのドット配置のずれが発生しない場合のドット配置の状態を示している。すなわち、ドット位置ずれがないので状態は直線で示されている。
【００９８】
図５(f) は、上記のように２番色Ｃの重色ドットの配置補正がない場合の、記録ユニットＫの基準色Ｋの記録ドットに対する記録ユニットＣの２番色Ｃの記録ドットの位置ずれを示している。つまり、２番色Ｃにドット位置ずれがないために、結果として、ドット位置ずれのある基準色Ｋに対して相対的に２番色Ｃのドット位置ずれが発生する状態を示している。
【００９９】
２番色Ｃのドットは等間隔基準位置に配置されているので、基準色Ｋのドット位置遅れ期間（時間Ｔ３〜Ｔ５）では基準色Ｋに対して２番色Ｃのドット配置は先行し、基準色Ｋの修復期間（時間Ｔ５〜Ｔ６）では先行する基準色Ｋのドット配置に対し２番色Ｃのドット配置は遅れることになる。
【０１００】
このため、基準色Ｋに対する２番色Ｃの重色ドットの遅れ量は、図５(d) に示す基準色Ｋの遅れ量を示す直線２９及び３０の負値として直線３６及び３７で表される。
このように、エンコーダパルス信号周波数がヘッド駆動上限周波数を超えたときの吐出タイミングを遅らせる調整と、エンコーダパルス信号周波数がヘッド駆動上限周波数以下となっときの遅れ修復の調整とからなる「ヘッド駆動上限周波数補正」のみの場合、図４(a),(b) で説明した単色の画像記録装置であれば大きな問題に至らない。
【０１０１】
しかし、図５(a) 〜(f) で説明したように搬送方向に複数色のラインヘッドを配置する画像記録装置においては、記録媒体に対して色毎に異なる位置で搬送後方にずれて記録されるため、重色ドットの配置ずれが生じ顕著な色むらを引き起こしてしまう。
【０１０２】
図６(a) 〜(g) は、画像記録装置１の各構成要素の動作において基準色のドット位置ずれに対して重色ドットの配置補正を行ったときの動作をタイミングチャートで示す図である。尚、図６(a) 〜(d) は、図５(a) 〜(d) と同様のものを示している。
【０１０３】
ここでは、図６(e) 〜(g) が図５(e),(f) の場合と異なり、図６(e) 〜(g) では２番色Ｃの重色ドットに対してドット配置の補正を加えた場合の効果を示している。
先ず、ノズル列制御部１８は、図６(d) に示すヘッド駆動周波数上限補正による、記録ユニットＫの等間隔基準位置からのドット配置のずれ量２９、もしくはこのずれ量２９を算出可能な情報を、下流の記録ユニットによる２番色以降の重色ドットの配置補正のために、ラインヘッド毎に対応して記憶する。
【０１０４】
この記憶するずれ量は、図６(b) に示すヘッド駆動周波数上限補正での、エンコーダパルス信号の周期計時結果と予め不揮発性メモリに記憶したヘッド駆動最短周期との差、すなわち補正量から算出できる。
【０１０５】
図６(e) は、重色ドットを形成する記録ユニットのうちの記録媒体２１の搬送前方で記録ユニットＫに隣接する記録ユニットＣの重色ドット配置を取り上げて示している。記録ユニットＣの重色ドットは配置補正されており、図６(e) は、このドット配置補正後の記録ユニットＣの等間隔基準位置から記録媒体２１の搬送後方へのドット配置のずれ量３６及び３７を示している。
【０１０６】
この搬送前方の記録ユニットＣの等間隔基準位置からのドット配置ずれ位置を、記憶した図６(d) に示す搬送後方の記録ユニットＫの等間隔基準位置からのドット配置ずれ位置に合わせこむように制御することが、本実施例の重色ドット配置補正の特徴である。
【０１０７】
図６(f) は、重色ドットを形成する記録ユニットのうちの記録媒体２１の搬送前方の記録ユニットＣの、ノズル列制御部１８で重色ドットの配置補正した後の記録同期信号３５、３６、及び３７を示している。
【０１０８】
この補正制御によって、図６(d) に示す記録ユニットＫの位置ずれした記録ドットに対する、図６(e) に示す搬送前方の記録ユニットＣのドット配置のずれ補正を行う。
すなわち時間Ｔ３〜時間Ｔ５では、図６(d) のドット配置ずれ量２９に示すように搬送後方の記録ユニットＫで記録したドットが等間隔基準位置から記録媒体２１の搬送後端側へずれているために、下流記録ユニットＣでは、その位置に合わせこむように、図６(f) に示すように、記録同期信号周波数３６をエンコーダパルス信号の周期計時結果３５よりも低下させる。
【０１０９】
そして、時間Ｔ５〜時間Ｔ６では、図６(d) のドット配置ずれ量３０に示すように搬送後方の記録ユニットＫで記録したドットが等間隔基準位置から記録媒体２１の搬送前端側へずれを解消するように制御されているため、下流記録ユニットＣは、その位置に合わせこむように、図６(f) に示すように、記録同期信号周波数３７をエンコーダパルス信号の周期計時結果３５よりも増加させる。
【０１１０】
図６(g) は、重色ドット配置補正を行った後の記録ユニットＫの記録ドットに対する記録ユニットＣの記録ドットの位置ずれを示している。図６(d) のずれと図６(e) のずれが同等であるため、等間隔基準位置からのずれはあるものの、記録ユニットＫの記録ドットに対する記録ユニットＣの記録ドットの位置ずれは解消される。
【０１１１】
これにより、最大限に記録スループットを高めて記録しながらも、記録ユニットへのデータ転送未完了や、吐出不良などの不具合の発生を防止し、かつ、この制御によって発生する重色ドットの位置ずれを低減し、記録画質の劣化を低減させることが可能となる。
【０１１２】
以上、図５、図６では、基準色Ｋの記録ユニットＫでエンコーダパルス信号周波数がヘッド駆動上限周波数を超過し、記録媒体２１の搬送前方の記録ユニットＣで２番色Ｃを画像記録するときにエンコーダパルス信号周波数がヘッド駆動上限周波数を超過せず２番色Ｃのドット配置に等間隔基準位置からのずれが発生しない場合に、重色ドットの配置補正
の有無による重色ドットの配置ずれについて説明した。
（第２の実施の形態）
次に、搬送後方の記録ユニットＫ、下流の記録ユニットＣで画像記録する時に、それぞれ、エンコーダパルス信号周波数がヘッド駆動上限周波数を超過し、記録ユニットＫ、記録ユニットＣともに、等間隔基準位置からのドット配置のずれが発生する場合の、重色ドットの配置補正の有無による重色ドットの配置ずれについて説明する。尚、本例の画像記録装置の構成及び基本動作は、図１乃至図３に示した場合と同様である。
【０１１３】
図７(a) 〜(f) は、第２の実施の形態における画像記録装置の各構成要素の動作において、基準色のドット位置ずれに対して重色ドットの配置補正を行わないときの動作をタイミングチャートで示す図である。尚、図７(a) 〜(d) のタイミングチャートは、図５(a) 〜(d) のタイミングチャートと同様である。
【０１１４】
本例において、図７(e),(f) は、２番色Ｃの重色ドットに対して等間隔基準位置からのドット配置のずれのみを補正し、基準色Ｋのドット配置ずれに対する２番色Ｃの重色ドットの配置補正（重色ドットの配置補正）はしていない場合を示している。
【０１１５】
図７(e) は、搬送前方の記録ユニットＣのためのエンコーダパルス信号周波数が時間Ｔ１とＴ２の間でヘッド駆動上限周波数を超過したため、ドット配置が等間隔基準位置から記録媒体２１の搬送後方へ配置ずれした状態を示し、時間Ｔ２でエンコーダパルス信号周波数がヘッド駆動上限周波数より低くなったため、時間Ｔ２とＴ４の間でドット配置遅れ修復のため、ドット配置が等間隔基準位置から記録媒体２１の搬送前方へ配置ずれした状態を示している。
【０１１６】
図７(f) は、重色ドット配置補正をしていない場合の、搬送方向への記録ユニットＫの記録ドットに対する記録ユニットＣの記録ドットの位置ずれを示している。図７(e) の２番色Ｃのドット配置ずれと、図７(d) の基準色Ｋのドット配置ずれの差が、図７(f) に示す基準色Ｋに対する２番色Ｃのドット配置ずれである。
【０１１７】
既に述べたように、ヘッド駆動上限周波数補正のみの場合は、単色の画像記録装置であれば大きな問題に至らないものの、搬送方向に複数色のラインヘッドを配置する画像記録装置では、搬送後方側の記録ユニットに対する搬送前方側の記録ユニットでのドット配置は、搬送後方方向と搬送前方方向にそれぞれずれた重色ドットの配置ずれが生じ、顕著な色むらを引き起こしてしまう。
【０１１８】
図８(a) 〜(g) は、第２の実施形態の画像記録装置の各構成要素の動作において、基準色のドット位置ずれに対して重色ドットの配置補正を行ったときの動作をタイミングチャートで示す図である。尚、図８(a) 〜(d) のタイミングチャートは図７(a) 〜(d) のタイミングチャートと同様である。図８(e) 〜(ｆ) は、図７(e) 〜(f) に対して重色ドットの配置補正を加えた場合の効果を示している。
【０１１９】
本例では、ノズル列制御部１８は、図８(d) に示すヘッド駆動周波数上限補正による、記録ユニットＫの等間隔基準位置からのずれ量、もしくはずれ量を算出可能な情報を、搬送前方の記録ユニットにおける重色ドットの配置補正のためにライン毎に記憶する。
【０１２０】
このずれ量は、図８(b) に示すヘッド駆動周波数上限補正での、エンコーダパルス信号の周期計時結果と予め不揮発性メモリに記憶したヘッド駆動最短周期との差、すなわち補正量から算出できる。
【０１２１】
図８(e) は、図８(d) に示すヘッド駆動上限周波数補正をした基準色Ｋのドット配置に
対して重色ドットを形成する、記録ユニットＫよりも記録媒体２１の搬送前方側の記録ユニットＣによる、重色ドットの配置補正後の等間隔基準位置からの記録媒体２１の搬送後方側へのドット配置のずれを示している。
【０１２２】
つまり、図８(d) に示す基準色Ｋのドット配置ずれに対して、記録ユニットＫよりも搬送前方側の記録ユニットＣが、自身のヘッド駆動上限周波数補正（時間Ｔ１、Ｔ２、Ｔ４）に加えて、基準色Ｋのドット配置ずれに合わせ込む重色ドットの配置補正（時間Ｔ３、Ｔ５、Ｔ６）をしたときの、２番色Ｃのドット配置（等間隔基準位置からのずれ量）を示している。
【０１２３】
図８(f) は、ノズル列制御部１８で、記録ユニットＣに対し、ヘッド駆動上限周波数補正のみならず重色ドットの配置補正をした後の、この補正制御によって、図８(e) のように記録ユニットＣのノズルのインク吐出タイミングを駆動する記録同期信号３５，３３，３４，３６，３７，及び３５を示している。
【０１２４】
図８(f) の時間Ｔ１から時間Ｔ２の状況では、搬送後方側の記録ユニットＫの記録ドットは、等間隔基準位置からのドット配置ずれが起こっていないが、記録ユニットＣではエンコーダパルス信号周波数２６−１がヘッド駆動上限周波数２７よりも高いため「記録同期信号３３＝ヘッド駆動上限周波数２７」とするヘッド駆動上限周波数補正を行っている。
【０１２５】
その後、搬送前方の記録ユニットＣは、時間Ｔ２からＴ５において、ヘッド駆動上限周波数２７よりも低くなったエンコーダパルス信号周波数３５に対して、時間Ｔ２までのヘッド駆動上限周波数補正による等間隔基準位置からのドット配置ずれを解消するために、一時的に記録同期信号３４の周波数を増加させ、その後、重色ドットの位置補正によって搬送後方の記録ユニットＫの記録位置に合わせこむように記録同期信号３６の周波数を低下させている。
【０１２６】
更に、記録ユニットＣは、時間Ｔ５から時間Ｔ６において、記録ユニットＫの遅れ修復の記録ドット位置に合わせこむ重色ドットの位置補正によって、記録同期信号３７の周波数を増加させている。
【０１２７】
図８(g) は、重色ドットの配置補正を行った後の記録媒体２１の搬送後方への記録ユニットＫの記録ドットに対する記録ユニットＣの記録ドットの位置ずれ量を示している。図８(e) と図８(d) の差がこのずれ量となっている。
【０１２８】
時間Ｔ３までのずれ量は、搬送前方の記録ユニットのヘッド駆動上限周波数補正によるもので解消できていないが、時間Ｔ３以降のずれは、重色ドットの位置補正によって解消される。
【０１２９】
これに対して、先に示した図７(f) では、搬送後方の記録ユニットに対する搬送前方の記録ユニットによるドット配置は、搬送方向の前方方向、後方方向にそれぞれずれて著しい色むらを発生させている。それに対して、図８(g) では、一方向のみの位置ずれになり、著しい色むらが緩和される。
【０１３０】
尚、図５、図６、図７、及び図８においては、搬送方向前後の２色の記録ユニットを取り上げて説明したが、搬送前方の記録ユニットによるドット配置を、搬送後方の記録ユニットの等間隔基準位置からのドット配置ずれに合わせ込むように制御することについては、記録色が３色以上であっても上述したと同様に制御することができ、３色以上といえども制御の方法に変わるところはない。
【０１３１】
また、この場合、要求精度に応じて、それぞれの記録ユニット、あるいは、それぞれのノズル列で、独立したずれ値として処理を行うことが好ましい。
図９は、第２の実施形態の画像記録装置１による画像記録の実行のために制御部１６が行う制御処理の処理内容を示すフローチャートである。尚、この処理は、制御部１６の不図示の不揮発性メモリに予め記憶されている制御プログラムをＭＰＵが読み出して実行することにより実現される。
【０１３２】
また、この制御プログラムをＭＰＵが実行することによって、制御部１６は、ノズル列制御部１８としても機能する。
図９において、制御部１６は、まず、ノズル列制御部１８において、プリントモードに応じたヘッド駆動最短周期を設定する（ステップＳ１）。この処理は、プリントモードに応じてヘッド駆動最短周期が異なることを考慮したものであり、それぞれのヘッド駆動最短周期は、予め不揮発性メモリに記憶されている。
【０１３３】
以降のステップＳ２からステップＳ８にかけての処理は、記録同期信号に同期したノズル列によるライン画像記録毎に繰り返して処理が行なわれる。
すなわち、制御部１６は、ステップＳ２において、搬送情報生成部８で生成されるエンコーダ信号の周期を計時する。次に、制御部１６は、ステップＳ３において、計時エンコーダ信号周期が、予め不揮発性メモリに記憶（設定）されているヘッド駆動最短周期（以下、設定ヘッド駆動最短周期という）よりも短いか否かの判断を行う。
【０１３４】
ここで、制御部１６は、計時エンコーダ信号周期が、設定ヘッド駆動最短周期よりも短いと判断したとき（判定結果がＹｅｓのとき）には、ステップＳ４に処理を進める。一方、制御部１６は、計時エンコーダ信号周期が設定ヘッド駆動最短周期よりも長いと判断したとき（判定結果がＮｏのとき）には、ステップＳ５に処理を進める。
【０１３５】
制御部１６は、ステップＳ４において、ヘッド駆動周波数上限補正によって、記録同期信号をヘッド駆動最短周期に切り替える。
制御部１６は、ステップＳ５において、重色ドットの位置補正によって、記録処理中の記録ユニットの記録ドットの等間隔基準位置からのずれと、搬送後方（上流）の記録ユニットによる記録ドットの等間隔基準位置からのずれ、をそれぞれ考慮して、搬送前方（下流）の記録ユニットの記録同期信号を補正する。
【０１３６】
次に、制御部１６は、ステップＳ６において、ヘッド記録同期信号の計時エンコーダ信号からのずれによる等間隔基準位置からのずれ量を算出して記憶する。このステップＳ６の処理では、要求精度に応じて、それぞれの記録ユニット、あるいは、それぞれのノズル列で、独立した値として処理される。
【０１３７】
次に、制御部１６は、ステップＳ７において、補正記録同期信号に同期して、ノズル列駆動部１３を駆動して、画像記録を行う。次に、制御部１６は、ステップＳ８において、搬送最前方（最下流）の記録ユニットのノズル列によるページ最終の記録が終了しているか否かの判断を行う。
【０１３８】
ここで、制御部１６は、最下流の記録ユニットのノズル列のページ最終の記録が終了したと判断したとき（判定結果がＹｅｓのとき）には、ページ記録処理を終了する。一方、制御部１６は、最下流の記録ユニットのノズル列のページ最終の記録が終了していないと判断したとき（判定結果がＮｏのとき）には、ステップＳ２に処理を戻し、以降、記録同期信号に同期したノズル列でのライン画像記録毎に繰り返し処理を行う。
【０１３９】
以上の処理を制御部１６が行うことで、最大限に記録スループットを高めて記録しながらも、記録ユニットへのデータ転送未完了や、ノズル列のインク吐出不良などの不具合の発生を防止し、かつ、この制御によって発生する重色ドットのずれを低減させ、記録画質の劣化を低減せることができる。
【０１４０】
なお、本発明は、上記実施の形態に限定されるものでなく、実施段階では、その要旨を変更しない範囲で種々変形することが可能である。
【図面の簡単な説明】
【０１４１】
【図１】第１の実施形態おける画像記録装置の構成を概念的なブロック構成で示す図である。
【図２】第１の実施形態における画像記録装置の各構成要素の配置を示す図である。
【図３】第１の実施形態の画像記録装置における記録媒体の検出と画像記録とのタイミングの関係を模式的に示す図である。
【図４】第１の実施形態の画像記録装置におけるヘッド駆動周波数上限補正の例を模式的に示した図である。
【図５】(a) 〜(f) は第１の実施形態の画像記録装置の各構成要素の動作において基準色のドット位置ずれに対して重色ドットの配置補正を行わないときの動作をタイミングチャートで示す図である。
【図６】(a) 〜(g) は第１の実施形態の画像記録装置の各構成要素の動作において基準色のドット位置ずれに対して重色ドットの配置補正を行ったときの動作をタイミングチャートで示す図である。
【図７】(a) 〜(f) は第２の実施形態の画像記録装置の各構成要素の動作において基準色のドット位置ずれに対して重色ドットの配置補正を行わないときの動作をタイミングチャートで示す図である。
【図８】(a) 〜(g) は第２の実施形態の画像記録装置の各構成要素の動作において基準色のドット位置ずれに対して重色ドットの配置補正を行ったときの動作をタイミングチャートで示す図である。
【図９】第２の実施形態の画像記録装置による画像記録の実行のために制御部が行う制御処理の処理内容をフローチャートで示した図である。
【符号の説明】
【０１４２】
１      画像記録装置
２      給送部
３      給送トレイ
４      給送駆動部
５      記録媒体検出部
６      搬送機構
７      搬送駆動部
８      搬送情報生成部
９      回収部
１０    収納トレイ
１１    排出駆動部
１２    画像記録部
１３−１〜１３−ｎ  記録ユニット
１４−１〜１４−ｎ  ノズル列駆動部
１５−１−１〜１５−ｎ−ｍ  ノズル列
１６    制御部
１７    記憶部
１８    ノズル列制御部
１９    上位装置
２１    記録媒体
２２    駆動ローラ
２３    従動ローラ
２４    搬送ベルト
２５    支持部材
２６    正弦波状の曲線
２６−０  ヘッド駆動上限周波数より低いエンコーダパルス信号の周波数
２６−１  ヘッド駆動上限周波数より高いエンコーダパルス信号の周波数
２７    ヘッド駆動上限周波数
２８    斜線部
２９    右上がりずれ量直線
３０    右下がりずれ量直線
３１    横線部
３２    画像
３３    ヘッド駆動上限周波数と等しい値の補正記録同期信号
３４    エンコーダパルス信号より高い周波数の補正記録同期信号（補正周波数）
３５    エンコーダパルス信号に同期したヘッド駆動周波数
３６、３７  基準色に対するドット配置補正を行わない２番色の重色ドットの遅れ量
【図９】
2010131863.tif 000003
【図１】
2010131863.tif 000004
【図２】
2010131863.tif 000005
【図３】
2010131863.tif 000006
【図４】
2010131863.tif 000007
【図５】
2010131863.tif 000008
【図６】
2010131863.tif 000009
【図７】
2010131863.tif 000010
【図８】
2010131863.tif 000011